(57)【要約】【課題】  従来の木造軸組構造よりも施工が容易で、木造枠組壁構造よりも制約が少ない新しい木造建物の構造を提供する。【解決手段】  第１方向に延びる長板が並んで構成される第１平板部と、第１方向に直交する第２方向に延びる長板が並んで構成される第２平板部とが交互に積層された板材と、複数の柱材と、を備え、前記板材の上面又は下面と、前記柱材の端部とが接合されていて、前記板材の第１平板部又は第２平板部が梁として機能する、木造建物の構造。【選択図】  図１
2020176447.tif 000002
【特許請求の範囲】
【請求項１】
第１方向に延びる長板が並んで構成される第１平板部と、第１方向に直交する第２方向に延びる長板が並んで構成される第２平板部とが交互に積層された板材と、
複数の柱材と、を備え、
前記板材の上面又は下面と、前記柱材の端部とが接合されていて、
前記板材の第１平板部又は第２平板部が梁として機能する、
木造建物の構造。
【請求項２】
前記板材は、上面又は下面に複数の穴を有する、
請求項１に記載の木造建物の構造。
【請求項３】
前記柱材は、端部に前記板材の穴に嵌合する突部を有する、
請求項２に記載の木造建物の構造。
【請求項４】
木造建物の下方に配される基礎をさらに備え、
前記基礎の上に前記板材を配する、
又は、前記基礎の上に土台を介して前記板材を配する、
請求項１乃至３のいずれか１項に記載の木造建物の構造。
【請求項５】
前記柱材の上端又は下端と前記板材との接合部に、接合部材が配されている、
請求項１乃至４のいずれか１項に記載の木造建物の構造。
【請求項６】
２本の前記柱材と、該２本の柱材と接合される上方又は下方の板材とを構成要素として形成される面に筋交いが設けられている、
請求項１乃至５のいずれか１項に記載の木造建物の構造。
【請求項７】
２本の前記柱材と、該２本の柱材と接合される上方又は下方の板材とを構成要素として形成される面に面材が設けられている、
請求項１乃至５のいずれか１項に記載の木造建物の構造。
【請求項８】
前記複数の柱材は、所定数の柱材が前記第１方向に沿って配され、
前記該所定数の柱材からなる柱材列が、前記第１方向と平行に前記第２方向に沿って列状に配されていて、
前記板材の前記第１平板部又は前記第２平板部が梁又は根太として機能する、
請求項１乃至請求項７のいずれか１項に記載の木造建物の構造。
【請求項９】
前記板材は、
前記第１平板部と前記第２平板部とが交互に積層され、該板材の上面及び下面には前記第１平板部が露出するように積層されている、
または、前記第１平板部と前記第２平板部とが交互に積層され、最上面及び最下面には前記第１平板部が配されていて、これらを挟み込むように、最上面の上及び最下面の下に、さらに前記第１平板部がそれぞれ配されている、
請求項１乃至８に記載の木造建物の構造。
【請求項１０】
前記板材は、
前記第１平板部と前記第２平板部とが交互に積層され、
前記板材の上面及び下面のいずれか一方に前記第１平板部が露出し、該板材の上面及び下面のいずれか他方に前記第２平板部が露出するように積層されている、
請求項１乃至８に記載の木造建物の構造。
【請求項１１】
前記板材を複数備え、
前記複数の柱材のうち所定数の柱材で構成される第１の柱群の上方に第１の板材が配され、該第１の柱群の上端部と該第１の板材の下面とが接合されていて、
前記第１の柱群の下方に第２の板材が配され、該第１の柱群の下端部と該第２の板材の上面とが接合されていて、
前記複数の柱材のうち所定数の柱材で構成される第２の柱群の上方に第２の板材が配され、該第２の柱群の上端部と該第２の板材の下面とが接合されている、
請求項１乃至１０に記載の木造建物の構造。
【請求項１２】
前記第２の柱群の下方に第３の板材が配され、該第２の柱群の下端部と該第３の板材の上面とが接合されている、
請求項１１に記載の木造建物の構造。
【発明の詳細な説明】
【技術分野】
【０００１】
本発明は、新しい木造建物の構造に関する。
【背景技術】
【０００２】
従来の木造建物の構造は、柱、梁及び土台を軸として構成される木造軸組構造、又は、複数の平板を組み合わせてこれらを面として組み合わせて構成される木造枠組壁構造（２×４構造）が一般的である。
【０００３】
木造軸組構造は日本で最も多くの木造建物に用いられている伝統的なものであり、タテ木として種々の柱、ヨコ木として土台や梁などを組み上げた構造で、柱や梁などの縦横の軸が上からの荷重を支える。そして、これらの軸組の上に床材などを敷き詰めて床を形成する。このように、木造軸組構造は、線状の木材で組み上げられるため、構造的な制約が少なく、間取りやデザインの自由度が高い。
【０００４】
一方、木造枠組壁構造は、米国などで多く用いられているもので、規定の木材を用いて枠組を作り、そこに合板を貼った木製パネルで箱を作るようにして建てられる構造である。上記の木造軸組構造が「軸」なのに対して、「面」で構成されていて、柱の代わりに壁、梁の代わりに床や天井で支えられる。また、木造軸組構造に比べて、施工が比較的容易で職人の技量に左右されず工期も短い。
【発明の概要】
【発明が解決しようとする課題】
【０００５】
上記した通り、従来の木造軸組構造は、構造的な制約が少なく間取りやデザインの自由度が高い反面、施工が難しく職人の技量によって左右されるという課題がある。また、工期も比較的長い。一方、木造枠組壁構造は、施工が比較的容易で職人の技量に左右されず工期も短い反面、制約があり自由度が低いという課題がある。また、木造枠組壁構造は、職人の技量に左右されにくいが、我が国においては木造軸組構造が主流である。
【０００６】
本発明の目的は、従来の木造軸組構造よりも施工が容易で工期が短く、木造枠組壁構造のような制約がなく自由度が非常に高い新しい木造建物の構造を提供することにある。
【課題を解決するための手段】
【０００７】
本発明に係る一の態様の木造建物の構造は、第１方向に延びる長板が並んで構成される第１平板部と、第１方向に直交する第２方向に延びる長板が並んで構成される第２平板部とが交互に積層された板材と、複数の柱材と、を備え、前記板材の上面又は下面と、前記柱材の端部とが接合されていて、前記板材の第１平板部又は第２平板部が梁として機能することを特徴とする。
【０００８】
この構成によれば、従来の木造軸組構造におけるタテ木はそのまま柱を用い、梁などのヨコ木として板材の第１方向に延びる長板で構成される第１平板部又は第２方向に延びる長板で構成される第２平板部が担うことで、従来の木造軸組構造の枠組みに収まるものでありながら、横架材が不要になることで施工の容易性や工期の短縮を図ることが可能となる。また、同様に根太が不要になることでも施工の容易性や工期の短縮が図られる。
【０００９】
また、この構造は従来の木造軸組構造の枠組みに収まるものであるため、我が国の職人の対応も比較的容易である。さらには、ヨコ木を板材に置きかえることで、床の遮音性能の向上や、面内せん断剛性の向上なども期待できる。
【００１０】
また、従来の木造軸組構造の場合、柱及び壁の直下率を計算して設計する必要があった。柱の直下率とは、２階の柱の下に１階の柱がどれだけあるかを示す値である。壁の直下率とは、２階の耐力壁の下に１階の耐力壁がどれだけあるかを示す値である。具体的には、柱の直下率＝（１階と２階の柱位置が同じ柱本数／上階の柱本数）×１００（％）、壁の直下率＝（１階と２階の耐力壁位置が同じ壁の長さ／上階の壁の長さ）×１００（％）を直下率という。
【００１１】
図１１に示すように、直下率が高ければ高いほど地震等による被害が小さくなっており、直下率５０〜６０％を境に被害が大きく減少していることがわかる。したがって、現在では、直下率６０％以上にすることが勧められていて、従来の木造軸組構造の場合はこれを設計に取り入れることが推奨されている。
【００１２】
一方、上記した本発明の構造であれば、直下率１００％と同等かそれ以上の耐震性を備えることが可能となる（図１２、図１３参照）。これらの図は、構造に負荷をかけた場合の変形量や変形比を示すグラフである。このグラフに示す通り、上記した本発明の構造は強固な耐震性を備えると同時に、直下率をそれほど考慮することなく、設計することが可能となる。すなわち、強固な耐震性を具備しつつ、様々な構造の木造建物をつくることができる。
【００１３】
また、この木造建物の構造は、前記板材が上面又は下面に複数の穴を有する。この構成によれば、この穴に柱材の端部を嵌合することで、板材と柱材を強固に接合できる。なお、板材の穴は柱材の端部がそのまま嵌合する形状としてもよく、柱材の端部に突部を有する構成の場合、その突部が嵌合する形状としてもよい。
【００１４】
また、この木造建物の構造は、木造建物の下方に配される基礎をさらに備え、前記基礎の上に前記板材を配する、又は、前記基礎の上に土台を介して前記板材を配する。この構成によれば、従来の木造軸組構造における土台が必須の構成でなくなり、土台がなくなることでさらに施工が容易となり、工期も短縮できる。さらに、前記板材を床として用いることで、この板材の非常に高い面剛性により、基礎を規格化することも可能となる。そして、規格化された基礎の上に板材を敷き詰めるのみのため、非常に工期を短縮でき、コスト減にも大きくつながる。また、土台を介する構成であれば、従来の木造軸組構造に近い構造となり、従来の職人の対応も比較的容易となる。
【００１５】
また、従来は、図１４に示す破線部のような張り出し部分にも基礎が必要であったが、板材を用いることで、板材の高い面外剛性から片持ちで負荷に耐えることができ、その部分の基礎が不要となる。そのため、上記のように矩形の基礎とすることができ工期及びコストを抑えられるし、基礎の規格化も可能となる。また、例えばバルコニーを設置する場合、従来の構造ではそれを支える柱が必須であったところ、この板材を用いることで、バルコニー部分を片持ちで支えることが可能となり、従来必須であった柱を不要とすることができる。発明者らの実験によれば、３ｍの張り出しを片持ちで支持可能であった。
【００１６】
また、この木造建物の構造は、前記柱材の上端又は下端と前記板材との接合部に、接合部材が配されている。この構成によれば、板材に穴がない場合にも、接合部材により柱材と板材とを接合することができる。また、板材に穴がある場合においても、接合部材により強固に接合することができる。
【００１７】
また、この木造建物の構造は、２本の前記柱材と、該２本の柱材と接合される上方又は下方の板材とを構成要素として形成される面に筋交いが設けられている。ここで、筋交いには、長板状の板材からなる両筋交いや片筋交い、Ｋ型の筋交い、頬杖型の筋交い、その他の鉄筋やアングルなど型鋼からなるブレースダンパーなどが含まれる。この構成によれば、木造建物の強度や耐震性が向上する。
【００１８】
また、この木造建物の構造は、２本の前記柱材と、該２本の柱材と接合される上方又は下方の板材とを構成要素として形成される面に面材が設けられてもよい。
【００１９】
また、この木造建物の構造は、前記複数の柱材のうち所定数の柱材が前記第１方向に沿って配され、前記該所定数の柱材からなる柱材列が前記第１方向と平行に前記第２方向に沿って列状に配されていて、前記板材の前記第１平板部又は前記第２平板部が梁又は根太として機能する。複数の柱材をこのように配することで、板材の第１平板部の第１方向に延びる長板又は第２平板部の第２方向に延びる長板が横架材としての機能を効果的に発揮する。
【００２０】
また、この木造建物の構造は、前記板材が、前記第１平板部と前記第２平板部とが交互に積層され、該板材の上面及び下面には前記第１平板部が露出するように積層されている、または、前記第１平板部と前記第２平板部とが交互に積層され、最上面及び最下面には前記第１平板部が配されていて、これらを挟み込むように、最上面の上及び最下面の下に、さらに前記第１平板部がそれぞれ配されている。
【００２１】
この構成によれば、板材の上面及び下面に第１平板部が配され、これに挟み込まれるように、第２平板部が挟まれ（３層の場合）、又は、第１平板部、第２平板部、第１平板部が交互に積層される（５層以上の場合）。
【００２２】
また、この木造建物の構造は、前記板材が前記第１平板部と前記第２平板部とが交互に積層され、前記板材の上面及び下面のいずれか一方に前記第１平板部が露出し、該板材の上面及び下面のいずれか他方に前記第２平板部が露出するように積層されている。この構成によれば、板材の第１平板部と第２平板部との数が一致し、縦横の強度が略均等になる。
【００２３】
また、この木造建物の構造は、前記板材を複数備え、前記複数の柱材のうち所定数の柱材で構成される第１の柱群の上方に第１の板材が配され、該第１の柱群の上端部と該第１の板材の下面とが接合されていて、前記第１の柱群の下方に第２の板材が配され、該第１の柱群の下端部と該第２の板材の上面とが接合されていて、前記複数の柱材のうち所定数の柱材で構成される第２の柱群の上方に第２の板材が配され、該第２の柱群の上端部と該第２の板材の下面とが接合されている。
【００２４】
また、この木造建物の構造は、前記第２の柱群の下端部と前記土台の上面とが接合されている。また、前記第２の柱群の下方に第３の板材が配され、該第２の柱群の下端部と該第３の板材の上面とが接合される構成としてもよい。
【００２５】
また、この木造建物の構造は、前記板材を複数備え、第１の板材は、前記複数の穴が上面及び下面に設けられ、第２の板材は、前記複数の穴が少なくとも下面に設けられ、前記複数の柱のうち第１の柱群の上方に第１の板材が、該第１の柱群の一方の突部を該第１の板材の下面の穴に嵌合して取り付けられ、前記第１の柱群の下方に前記土台が、該第１の柱群の他方の突部を該土台の穴に嵌合して取り付けられ、前記複数の柱のうち第２の柱群の上方に第２の板材が、該第２の柱群の一方の突部を該第２の板材の下面の穴に嵌合して取り付けられ、前記第２の柱群の下方に第１の板材が、該第２の柱群の他方の突部を該第１の板材の上面の穴に嵌合して取り付けられてもよい。
【００２６】
また、この木造建物の構造は、第１方向に延びる長板が並んで構成される第１平板部と、第１方向に直交する第２方向に延びる長板が並んで構成される第２平板部とが交互に積層された板材と、複数の柱材と、を備え、前記板材は、前記複数の柱材の端部がそれぞれ嵌合する複数の穴を有し、前記複数の柱材の上方に前記板材が配され、該複数の柱材が、該板材の穴にそれぞれ嵌合して取り付けられ、前記板材の第１平板部が梁として機能し、第２平板部が根太として機能する構成としてもよい。
【００２７】
本発明に係る一の態様の木造建物の構造は、第１方向に延びる長板が並んで構成される第１平板部と、第１方向に直交する第２方向に延びる長板が並んで構成される第２平板部とが交互に積層された板材と、複数の柱材と、を備え、前記複数の柱材の上方に前記板材が配され、該複数の柱材と該板材が接合され、前記板材の第１平板部が梁として機能し、第２平板部が根太として機能する構成としてもよい。
【発明の効果】
【００２８】
本発明によれば、従来の木造軸組構造よりも施工が容易で工期が短く、木造枠組壁構造よりも制約が少なく自由度が高い。
【図面の簡単な説明】
【００２９】
【図１】本発明の一実施形態に係る木造建物の構造を示す模式図である。
【図２】柱材と土台との接合部を示す説明図である。
【図３】柱材と板材との接合部を示す説明図である。
【図４】柱材と板材を示す説明図である。
【図５】板材と従来の木造軸組構造の構成部材との対応を示す説明図である。
【図６】筋交いを取り付けた木造建物の構造を示す模式図である。
【図７】柱材と土台との接合部を示す説明図である。
【図８Ａ】木造建物の構造の変形例を示す模式図である。
【図８Ｂ】木造建物の構造の変形例を示す模式図である。
【図９Ａ】木造建物の構造の変形例の柱材と板材との接合部を示す説明図である。
【図９Ｂ】木造建物の構造の変形例の柱材と板材との接合部を示す説明図である。
【図１０】本発明の一実施形態に係る木造建物の構造を示す模式図である。
【図１１】従来の木造軸組構造における直下率と事故物件割合を示すグラフである。
【図１２】従来の木造軸組構造及び本発明の木造建物構造における直下率に対する地震時の変形量を示すグラフである。
【図１３】従来の木造軸組構造と本発明の木造建物構造における直下率に対する地震時の変形比を示すグラフである。
【図１４】基礎と土台についての説明図である。
【図１５】従来の木造軸組構造の床と本発明の木造建物構造の床における耐力を示すグラフである。
【発明を実施するための形態】
【００３０】
以下、本発明に係る一実施形態を図面に基づき説明するが、本発明は下記実施形態に限定されるものではない。本実施形態においては、一例として２階建ての木造建物の構造について説明するが、本発明は１階建てや３階建て以上の木造建物にも適用可能である。また、本実施形態においては、一例として板材に２つの第１平板部で１つの第２平板部を挟み込んだ３層構造の板材を用いて説明するが、本発明に用いる板材は５層や７層など、３層以上の板材も適用可能である。また、本実施形態においては、一例として端部に突部を有する柱材と、上面又は下面に穴を有する板材を用いた例を説明するが、端部に突部のない柱材や穴のない板材も適用可能である。
【００３１】
＜第１実施形態＞
（木造建物の構造）
図１は本発明の一実施形態に係る木造建物の構造を示す模式図である。図２は柱材と土台との接合部を示す説明図である。図３は柱材と板材との接合部を示す説明図である。図４は柱材と板材を示す説明図である。図５は板材と従来の木造軸組構造の構成部材との対応を示す説明図である。
【００３２】
図１に示すように、木造建物１０は、２階建ての構造であって、下方の基礎４と、基礎の上に土台３と、複数の柱材２と、２つの板材１と、を主要な構成として備える。なお、図１では屋根部がない構成としているが、従来の木造軸組構造と同様の屋根部の構造を用いてもよい。
【００３３】
基礎４は、従来の木造軸組構造と同様、鉄筋とコンクリートで形成され、地面に敷設されている。土台３は、例えば檜などを使用した木製のヨコ材であり、基礎４とアンカーボルトで固定されている。また、土台３の上面には、複数の穴３１が設けられていて、柱材２の突部２１と嵌合する（図２参照）。
【００３４】
柱材２は、例えば杉などを使用した木製のタテ材であり、下端に突部２１と、上端に突部２２が設けられている（図４参照）。また、柱材２の突部２１と土台３の穴３１とが嵌合した接合部には、柱材２と土台３に渡るようにネジ止めされた金物５を補強材として用いる（図２参照）。
【００３５】
図３、図４、図５に示すように、板材１は、第１方向Ｘに延びる木製の長板が複数並んで接着された第１平板部１１と、第１方向に直交する第２方向Ｙに延びる木製の長板が複数並んで接着された第２平板部１２が交互に積層され、これらが接着されてなる板材である。具体的には、本実施形態の板材１は、対向する２枚の第１平板部１１の間に、１枚の第２平板部１２が介在するように積層された３層構造である。
【００３６】
なお、板材１の３層構造は、本実施形態の一例であり、第１平板部１１が３枚と、これらの各間に第２平板部１２が２枚介在した５層構造や、第１平板部１１が４枚と第２平板部１２が３枚の７層構造、また下方から順に２枚の第１平板部１１、１枚の第２平板部１２、１枚の第１平板部１１、１枚の第２平板部１２、２枚の第１平板部１１とする７層構造などを用いてもよい。また、各長板は同寸の幅のものを用いてもよいが、幅が異なる寸法の長板を用いて平板部を構成することも可能である。
【００３７】
また、木造建物１０において板材１は２つ用いられていて、１つは木造建物１０の１階の天井と２階の床となる下方の板材１（下方の板材を「１Ａ」と称する）であり、もう１つは２階の天井となる上方の板材１（上方の板材を「１Ｂ」と称する）である。下方の板材１Ａは、下面に１階の柱となる複数の柱材２に対応する位置に、柱材２の上端の突部２２が嵌合する穴１３が複数形成されている。また、同下方の板材１Ａは、上面に２階の柱となる複数の柱材２に対応する位置に、下端の突部２１が嵌合する穴１３が複数形成されている（図４参照）。
【００３８】
そして、この板材１Ａの下面の穴１３と、１階部分の柱材２の突部２２とが嵌合したそれぞれの接合部には、板材１Ａと柱材２に渡るようにネジ止めされた金物が補強材として用いられているまた、この板材１Ａの上面の穴１３と、２階部分の柱材２の突部２１とが嵌合したそれぞれの接合部には、同様に板材１Ａと柱材２に渡るようにネジ止めされた金物が補強材として用いられている（図３の符号６参照）。
【００３９】
一方、木造建物１０の２階の天井となる上方の板材１Ｂは、下面に２階の柱となる複数の柱材２に対応する位置に、柱材２の上端の突部２２が嵌合する穴１３が複数形成されている。そして、この板材１Ｂの下面の穴１３と、１階部分の柱材２の突部２２とが嵌合したそれぞれの接合部には、板材１Ｂと柱材２に渡るようにネジ止めされた金物が補強材として用いられている。
【００４０】
図５に示すように、この板材１は、第１平板部１１の第１方向Ｘに延びる複数の長板が、従来の木造軸組構造における梁や桁などの横架材に相当する。これにより、そして、第２平板部１２の第２方向Ｙに延びる長板が、従来の木造軸組構造における床板を支えるための床下に渡す横木、すなわち根太に相当する。
【００４１】
（本実施形態の効果）
この構成により、柱と横架材に相当する第１平板部１１の長板とで、従来の木造軸組構造と同様の構造を有することとなる。さらに、第２平板部１２の長板が根太に相当するため、従来の軸組構造における横架材及び根太、すなわち在来の木造軸組構造の水平構面を、第１平板部１１及び第２平板部１２が積層された板材１に置き換えることができる。これにより、従来の軸組構造における横架材や軸組に敷き詰める床材が不要になることで、施工が容易となり、工期の短縮が可能となる。
【００４２】
また、本願の発明者らは、本実施形態の効果を検証すべく試験を行った。１つ目の試験は、従来の軸組構造（種々の直下率）と、本実施形態の構造とにおける耐震性を比較したもので、それぞれの構造に負荷をかけた場合の変形量や変形比を測定するものである。変形量や変形比が小さいほど耐震性が高いこととなる。図１２、１３にその結果を示す。
【００４３】
図１２、１３に示す通り、本実施形態の構造の場合、直下率１００％と同等かそれ以上の耐震性を備えることがわかった。このように、本実施形態の構造によれば、強固な耐震性を備えると同時に、直下率をそれほど考慮することなく、フレキシブルに設計することが可能となる。すなわち、強固な耐震性を具備しつつ、様々な構造の木造建物をつくることができる。
【００４４】
２つ目の試験は、床の剛性についての試験である。本願の発明者らが本実施形態の構造における床の剛性について試験を行い、これを従来の軸組構造の床の結果と比較した。なお、従来構造の床とは、一般的に用いられる合板の床材を軸組に釘打ちして固定したものである。
【００４５】
そして、それぞれの床の側面、すなわち床面と水平方向に厚み方向の端面から荷重をかけ、その時の床の変形量から床の耐力を測定する試験である。一般的に水平せん断試験と言われるものである。なお、従来の軸組構造の床の試験結果については、公知文献の試験結果を用い、これと本実施形態の試験結果とを比較した。
【００４６】
図１５は、試験結果を示すグラフであって、（ａ）が本実施形態の床であって、せん断加力試験より得られたせん断応力と変形角との関係を示すグラフであり、（ｂ）が従来の軸組構造の床であって、釘打ちした合板床のせん断加力試験より得られたせん断耐力と変形角との関係を示すグラフである。図１５に示すように、１／１５０ｒａｄ（０．００６７ｒａｄ）時の従来の軸組構造の床（標準）の耐力が約１１．８ｋＮ／ｍ２であるところ、本実施形態の床の耐力は、グラフより約２．５Ｎ／ｍｍ２、これに厚さ１５０ｍｍと幅１０００ｍｍを乗じると約３７５ｋＮ／ｍ２となる。そして、それぞれの耐力を１．９６ｋＮ（壁倍率１．０）で割ると、従来の軸組構造の床が６倍、本実施形態の床が１９１倍となる。この結果から、本実施形態の床の剛性は従来に比べて大幅に向上することがわかった。
【００４７】
（変形例１）
図６は筋交いを取り付けた木造建物の構造を示す模式図である。図７は柱材と土台との接合部を示す説明図である。図６、図７に示すように、本実施形態の木造建物は、柱材２と土台３の接合部と、柱材２と板材１の接合部を対角線上に結ぶ筋交いが設けられていてもよい。また、柱材２と板材１の接合部同士を対角線上に結ぶ筋交いが設けられていてもよい。
【００４８】
具体的には、図７に示すように、柱材２と土台３の接合部から、図示しない隣の柱材２と板材１の下面の接合部に向けて筋交い７を取り付ける。また、筋交い７は、一例として柱材２に金物８によって固定されている。なお、金物８の形状は一例であり、別の構造の金物を用いてもよい。また、本実施形態は片筋交いを取り付けた一例であり、両筋交いを取り付けることも可能である。
【００４９】
このように、本実施形態の木造建物の構造は、従来の木造軸組構造と同様に筋交いを取り付けることが可能であり、各接合部同士を対角線上に結ぶ筋交いを設けることで、強度や耐震性を向上することが可能となる。
【００５０】
（変形例２）
図８Ａは木造建物の構造の別の変形例を示す図であり、面材を取り付けた構造を示す模式図である。図８Ａに示すように、本実施形態の木造建物は、２つの柱材２と土台３と板材１で囲われる面と、２つの柱材２と２つの板材１で囲われる面とに、面材９が設けられていてもよい。
【００５１】
（変形例３）
図８Ｂは木造建物の構造の別の変形例を示す図であり、上記の実施形態では、従来の木造軸組工法と同様に複数の柱材を縦横に整列した例であるが、本発明の構造を用いることで、図８Ｂに示すように、柱材を縦横に整列させず、まばらに配することも可能である。従来の木造軸組工法では、このようなまばらな配列にすると十分な強度を得られなかったが、本発明を用いることでまばらな配列にした場合にも十分な強度を得ることができる。
【００５２】
（変形例４）
図９Ａは木造建物の構造の別の変形例を示す図であり、柱材の端部に突部２１を設けない場合の例であり、板材の穴に柱材の端部をそのまま嵌合する木造建物の構造を示す板材と柱材との接合部を示す図である。図９Ａに示すように、本実施形態の木造建物は、柱材の端部に突部２１がなく、柱材２の端部を板材１の穴にそのまま嵌合する構造である。また、図９Ｂに示すように、板材に穴を設けず、板材と柱材とを金具等によって固定する構造としてもよい。
【００５３】
＜第２実施形態＞
次に、上記の第１実施形態と構造の異なる第２実施形態について説明する。図１０は、第２実施形態の木造建物の構造を示す模式図である。上記した第１実施形態との主な相違点は、土台３をなくして、基礎４の上に板材１を配した点である。以下、相違点を中心に説明する。なお、第１実施形態と同じ構造のものについては同じ符号を用いる。
【００５４】
図１０に示すように、木造建物２０は、２階建ての構造であって、下方の基礎４と、複数の柱材２と、３つの板材１と、を主要な構成として備える。なお、図１０では屋根部がない構成としているが、従来の木造軸組構造と同様の屋根部の構造を用いてもよい。また、木造建物２０において板材１は３つ用いられていて、１つは木造建物２０の１階の床となる下方の板材１（下方の板材を「１Ｘ」と称する）であり、１つは木造建物２０の１階の天井と２階の床となる下方の板材１（中央の板材を「１Ｙ」と称する）であり、もう１つは２階の天井となる上方の板材１（上方の板材を「１Ｚ」と称する）である。
【００５５】
基礎４は、従来の木造軸組構造と同様、鉄筋とコンクリートで形成され、地面に敷設されている。そして、基礎４の上面に板材１Ｘが敷き詰められていて、板材１Ｘと基礎４とは、例えばアンカーボルトにより緊結されている。また、この板材１Ｘの上面には、複数の穴１３が設けられていて、柱材２の突部２１と嵌合する。なお、柱材２は、例えば杉などを使用した木製のタテ材であり、下端に突部２１と、上端に突部２２が設けられている。
【００５６】
中央の板材１Ｙは、下面に１階の柱となる複数の柱材２に対応する位置に、柱材２の上端の突部２２が嵌合する穴１３が複数形成されている。また、同中央の板材１Ｙは、上面に２階の柱となる複数の柱材２に対応する位置に、下端の突部２１が嵌合する穴１３が複数形成されている（図４参照）。
【００５７】
そして、この板材１Ｙの下面の穴１３と、１階部分の柱材２の突部２２とが嵌合したそれぞれの接合部には、板材１Ｙと柱材２に渡るようにネジ止めされた金物が補強材として用いられている。また、この板材１Ｙの上面の穴１３と、２階部分の柱材２の突部２１とが嵌合したそれぞれの接合部には、同様に板材１Ｙと柱材２に渡るようにネジ止めされた金物が補強材として用いられている（図３の符号６参照）。
【００５８】
一方、木造建物２０の２階の天井となる上方の板材１Ｚは、下面に２階の柱となる複数の柱材２に対応する位置に、柱材２の上端の突部２２が嵌合する穴１３が複数形成されている。そして、この板材１Ｚの下面の穴１３と、１階部分の柱材２の突部２２とが嵌合したそれぞれの接合部には、板材１Ｚと柱材２に渡るようにネジ止めされた金物が補強材として用いられている。
【００５９】
この構成により、上記した第１実施形態の効果に加え、基礎４の上に土台３を組むこと及び別途床材を敷き詰める必要がなく、板材１と基礎４とを固定することで足りるので、さらに施工が容易となり、非常に工期を短縮でき、コスト減にも大きくつながる。また、基礎を規格化することも可能となる。
【００６０】
以上のとおり、図面を参照しながら本発明の好適な実施形態を説明したが、本発明の趣旨を逸脱しない範囲内で、種々の追加、変更または削除が可能である。例えば、上記の実施形態は第１平板部が第２平板部よりも積層数の多い構造の板材の例であるが、これに限られず、第１平板部と第２平板部が交互に同数積層された板材を用いることも可能である。
【符号の説明】
【００６１】
１  板材
１１  第１平板部
１２  第２平板部
１３  穴
２  柱材
２１  突部
２２  突部
３  土台
３１  穴
４  基礎
５  金物
６  金物
７  筋交い
８  金物
９  面材
１０  木造建物
２０  木造建物
【図１】
2020176447.tif 000003
【図２】
2020176447.tif 000004
【図３】
2020176447.tif 000005
【図４】
2020176447.tif 000006
【図５】
2020176447.tif 000007
【図６】
2020176447.tif 000008
【図７】
2020176447.tif 000009
【図８Ａ】
2020176447.tif 000010
【図８Ｂ】
2020176447.tif 000011
【図９Ａ】
2020176447.tif 000012
【図９Ｂ】
2020176447.tif 000013
【図１０】
2020176447.tif 000014
【図１１】
2020176447.tif 000015
【図１２】
2020176447.tif 000016
【図１３】
2020176447.tif 000017
【図１４】
2020176447.tif 000018
【図１５】
2020176447.tif 000019